【手続補正書】
【提出日】平成24年6月4日(2012.6.4)
【手続補正１】
【補正対象書類名】明細書
【補正対象項目名】００１０
【補正方法】変更
【補正の内容】
【００１０】
前記の問題を解決するために、請求項１に記載の画像記録システムは、
画像供給装置と、当該画像供給装置から供給された記録用画像データを記録媒体に記録する画像記録装置と、当該画像記録装置により記録媒体上に記録された記録画像を撮像しこの記録画像と前記画像供給装置から供給された検査用画像データとを照合して正常に記録が行われたか否かを検査する画像検査装置と、を備える画像記録システムであって、
前記画像供給装置は、前記記録用画像データを複数ページに共通する記録用固定データと共通しない記録用可変データとに分離して前記画像記録装置に送信するとともに、前記検査用画像データを前記記録用固定データに対応する検査用固定データと、前記記録用可変データに対応する検査用可変データとに分離して画像検査装置に送信し、
前記画像記録装置は、少なくとも１ページ分の前記記録用固定データを保持する固定データメモリと、少なくとも１ページ分の前記記録用可変データを保持する可変データメモリとを備え、前記固定データメモリに保持された前記記録用固定データと、前記可変データメモリに保持された前記記録用可変データとを１ページずつ合成して記録媒体に記録を行う画像記録部を備え、
前記画像検査装置は、前記画像記録装置により記録媒体上に記録された記録画像を撮像する画像撮像部と、少なくとも１ページ分の前記検査用固定データを保持する固定データメモリと、少なくとも１ページ分の前記検査用可変データを保持する可変データメモリとを備え、前記固定データメモリに保持された前記検査用固定データと前記可変データメモリに保持された前記検査用可変データとを合成して得られる検査用画像と、前記画像撮像部で撮像された記録画像とを照合して記録画像の検査を行う画像検査部を備え、
前記画像供給装置は、複数ページの画像記録に際して前記記録用固定データを１回前記画像記録装置に供給するとともに、前記検査用固定データを１回前記画像検査装置に供給するものであり、
前記画像検査装置は、検査したページを不良と判定するとその結果を前記画像供給装置に通知し、
前記画像供給装置は、前記画像検査装置より不良の通知を受けると、不良のページ以降の前記記録用可変データを再度前記画像記録装置に供給し、
前記画像記録装置は、前記画像供給装置より再供給された前記記録用可変データに基づいて不良ページ以降のページを再度記録することを特徴とする。
請求項２に記載の画像記録システムは、
画像供給装置と、当該画像供給装置から供給された記録用画像データを記録媒体に記録する画像記録装置と、当該画像記録装置により記録媒体上に記録された記録画像を撮像しこの記録画像と前記画像供給装置から供給された検査用画像データとを照合して正常に記録が行われたか否かを検査する画像検査装置と、を備える画像記録システムであって、
前記画像供給装置は、前記記録用画像データを複数ページに共通する記録用固定データと共通しない記録用可変データとに分離して前記画像記録装置に送信するとともに、前記検査用画像データを前記記録用固定データに対応する検査用固定データと、前記記録用可変データに対応する検査用可変データとに分離して画像検査装置に送信し、
前記画像記録装置は、少なくとも１ページ分の前記記録用固定データを保持する固定データメモリと、少なくとも１ページ分の前記記録用可変データを保持する可変データメモリとを備え、前記固定データメモリに保持された前記記録用固定データと、前記可変データメモリに保持された前記記録用可変データとを１ページずつ合成して記録媒体に記録を行う画像記録部を備え、
前記画像検査装置は、前記画像記録装置により記録媒体上に記録された記録画像を撮像する画像撮像部と、少なくとも１ページ分の前記検査用固定データを保持する固定データメモリと、少なくとも１ページ分の前記検査用可変データを保持する可変データメモリとを備え、前記固定データメモリに保持された前記検査用固定データと前記可変データメモリに保持された前記検査用可変データとを合成して得られる検査用画像と、前記画像撮像部で撮像された記録画像とを照合して記録画像の検査を行う画像検査部を備え、
前記画像供給装置は、複数ページの画像記録に際して前記記録用固定データを１回前記画像記録装置に供給するとともに、前記検査用固定データを１回前記画像検査装置に供給するものであり、
前記画像検査装置は、検査したページの判定結果を前記画像記録装置に通知し、
前記画像記録装置は、記録したページの検査結果が良と通知を受けるまで当該ページに対応する前記記録用可変データを保持し、記録したページの検査結果が不良と通知を受けると、当該不良ページ以降のページを再度記録することを特徴とする。
【手続補正２】
【補正対象書類名】明細書
【補正対象項目名】００１１
【補正方法】変更
【補正の内容】
【００１１】
請求項３に記載の発明は、請求項１又は請求項２に記載の画像記録システムにおいて、
前記画像記録装置の前記可変データメモリは、少なくとも２ページ分の前記記録用可変データを保持する容量を備え、記録の終ったページのメモリ領域を循環的に順次、新しいページの前記記録用可変データの保持に使用することを特徴とする。
【手続補正３】
【補正対象書類名】明細書
【補正対象項目名】００１２
【補正方法】変更
【補正の内容】
【００１２】
請求項４に記載の発明は、請求項１又は請求項２に記載の画像記録システムにおいて、
前記画像記録装置は、Ｎページ（Ｎ≧２）分の記録画像に対応した前記記録用固定データを格納する固定データ領域と前記記録用可変データを保持する可変データ領域とを有するＮ個の共通メモリと、この共通メモリのどの領域に前記記録用可変データを保持するかを管理する可変データ領域管理部とを備え、
画像記録に先立ち、前記画像供給装置より供給された前記記録用固定データを前記Ｎ個の共通メモリに保持するとともに、前記画像供給装置より供給された前記記録用可変データの格納領域を示す可変データ位置情報を前記可変データ領域管理部に保持し、
前記可変データ領域管理部は、前記画像供給装置より供給される前記記録用可変データを前記可変データ位置情報に基づいて前記Ｎ個の共通メモリの前記可変データ領域にページごとに循環的に順次保持し、
前記画像記録部は、前記Ｎ個の共通メモリに保持された前記記録用固定データと前記記録用可変データとを１ページごとに循環的に読み出して記録媒体に記録を行うことを特徴とする。
【手続補正４】
【補正対象書類名】明細書
【補正対象項目名】００１３
【補正方法】変更
【補正の内容】
【００１３】
請求項５に記載の発明は、請求項１から請求項４のいずれか一項に記載の画像記録システムにおいて、
前記画像検査装置の前記可変データメモリは、少なくとも２ページ分の前記検査用可変データを保持する容量を備え、検査の終ったページのメモリ領域を循環的に順次、新しいページの前記検査用可変データの保持に使用することを特徴とする。
【手続補正５】
【補正対象書類名】明細書
【補正対象項目名】００１４
【補正方法】変更
【補正の内容】
【００１４】
請求項６に記載の発明は、請求項１から請求項４のいずれか一項に記載の画像記録システムにおいて、
前記画像検査装置は、Ｎページ（Ｎ≧２）分の検査画像に対応した前記検査用固定データを格納する固定データ領域と前記検査用可変データを格納する可変データ領域とを有するＮ個の共通メモリと、この共通メモリのどの領域に前記検査用可変データを保持するかを管理する可変データ領域管理部とを備え、
画像検査に先立ち、前記画像供給装置より供給された前記検査用固定データを前記Ｎ個の共通メモリに保持するとともに、前記画像供給装置より供給された前記検査用可変データの格納領域を示す可変データ位置情報を前記可変データ領域管理部に保持し、
該可変データ領域管理部は、前記画像供給装置より供給される前記検査用可変データを前記可変データ位置情報に基づいて前記Ｎ個の共通メモリの前記可変データ領域にページごとに循環的に順次保持し、
前記画像検査部は、Ｎ個の共通メモリに保持された前記検査用固定データと前記検査用可変データとを１ページごとに循環的に読み出し、前記画像撮像部で撮像された記録画像と照合して記録画像の検査を行うことを特徴とする。
【手続補正６】
【補正対象書類名】明細書
【補正対象項目名】００１５
【補正方法】変更
【補正の内容】
【００１５】
請求項７に記載の発明は、請求項１から請求項６のいずれか一項に記載の画像記録システムにおいて、
前記画像供給装置は、前記画像記録装置の記録解像度に対応した前記記録用固定データ及び前記記録用可変データを前記画像記録装置に供給するとともに、前記画像記録装置の記録解像度と前記画像検査装置の撮像解像度に対応した前記検査用固定データ及び前記検査用可変データを前記画像検査装置に供給することを特徴とする。
【手続補正７】
【補正対象書類名】明細書
【補正対象項目名】００１６
【補正方法】変更
【補正の内容】
【００１６】
請求項８に記載の発明は、請求項７に記載の画像記録システムにおいて、
前記画像検査装置の撮像解像度は前記画像記録装置の記録解像度よりも低く、前記画像検査装置の撮像データの階調数は前記画像記録装置の記録階調数よりも高いことを特徴とする。
【手続補正８】
【補正対象書類名】明細書
【補正対象項目名】００１７
【補正方法】変更
【補正の内容】
【００１７】
請求項９に記載の発明は、請求項１から請求項８のいずれか一項に記載の画像記録システムにおいて、
前記画像記録装置は、複数の色材を記録可能なカラー画像記録装置であり、
前記画像検査装置は、画像を複数の色成分に分解して撮像可能なカラー撮像手段を備え、複数の色成分を有するカラー画像の照合・検査が可能なカラー画像検査装置であり、
前記画像供給装置は、前記画像記録装置の色特性に対応した前記記録用固定データ及び前記記録用可変データを前記画像記録装置に供給するとともに、前記画像記録装置の色特性と前記画像検査装置の色特性に対応した前記検査用固定データ及び前記検査用可変データを前記画像検査装置に供給することを特徴とする。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】変更
【補正の内容】
【００２０】
請求項１０に記載の発明は、請求項２に記載の画像記録システムにおいて、
前記画像記録装置の記録位置と前記画像検査装置の撮像位置との間の記録媒体搬送経路に沿った距離をＬ、１ページの長さをＰとするとき、前記画像記録装置は、（Ｌ／Ｐ＋１）ページ分以上の前記記録用可変データを保持する容量の前記可変データメモリ又は前記共通データメモリを備えていることを特徴とする。
【手続補正１２】
【補正対象書類名】明細書
【補正対象項目名】００２１
【補正方法】変更
【補正の内容】
【００２１】
請求項１１に記載の発明は、
画像供給装置と、当該画像供給装置から供給された記録用画像データを記録媒体に記録する画像記録装置と、当該画像記録装置により記録媒体上に記録された記録画像を撮像し前記画像記録装置から転送された検査用画像データと照合して正常に記録が行われたか否かを検査する画像検査装置と、を備える画像記録システムであって、
前記画像供給装置は、前記記録用画像データを複数ページに共通する記録用固定データと共通しない記録用可変データとに分離して前記画像記録装置に送信し、
前記画像記録装置は、少なくとも１ページ分の前記記録用固定データを保持する固定データメモリと、少なくとも１ページ分の前記記録用可変データを保持する可変データメモリとを備え、前記固定データメモリに保持された前記記録用固定データと、前記可変データメモリに保持された前記記録用可変データとを１ページずつ合成して記録媒体に記録を行う画像記録部を備え、
前記画像検査装置は、前記画像記録装置により記録媒体上に記録された記録画像を撮像する画像撮像部と、少なくとも１ページ分の検査用固定データを保持する固定データメモリを備え、この固定データメモリに保持された前記検査用固定データと前記検査用画像データの検査用可変データとを合成して得られる検査用画像と、前記画像撮像部で撮像された記録画像とを照合して記録画像の検査を行う画像検査部を備え、
前記画像供給装置は、複数ページの画像記録に際して前記記録用固定データを１回前記画像供給装置に供給し、前記画像記録装置は、前記検査用固定データを１回前記画像検査装置に供給することを特徴とする画像記録システム。
【手続補正１３】
【補正対象書類名】明細書
【補正対象項目名】００２２
【補正方法】変更
【補正の内容】
【００２２】
請求項１２に記載の発明は、請求項１１に記載の画像記録システムにおいて、
前記画像記録装置の前記可変データメモリは、少なくとも２ページ分の前記記録用可変データを保持する容量を備え、記録の終ったページのメモリ領域を循環的に順次、新しいページの前記記録用可変データの保持に使用することを特徴とする。
【手続補正１４】
【補正対象書類名】明細書
【補正対象項目名】００２３
【補正方法】変更
【補正の内容】
【００２３】
請求項１３に記載の発明は、請求項１１に記載の画像記録システムにおいて、
前記画像記録装置は、Ｎページ（N≧２）分の記録画像に対応した前記記録用固定データを格納する固定データ領域と前記記録用可変データを保持する可変データ領域とを有するＮ個の共通メモリと、この共通メモリのどの領域に前記記録用可変データを保持するかを管理する可変データ領域管理部とを備え、
画像記録に先立ち、前記画像供給装置より供給された前記記録用固定データを前記Ｎ個の共通メモリに保持するとともに、前記画像供給装置より供給された前記記録用可変データの格納領域を示す可変データ位置情報を前記可変データ領域管理部に保持し、
前記可変データ領域管理部は、前記画像供給装置より供給される前記記録用可変データを前記可変データ位置情報に基づいて前記Ｎ個の共通メモリの前記可変データ領域にページごとに循環的に順次保持し、
前記画像記録部は、前記Ｎ個の共通メモリに保持された前記記録用固定データと前記記録用可変データとを１ページごとに循環的に読み出して記録媒体に記録を行うことを特徴とする。
【手続補正１５】
【補正対象書類名】明細書
【補正対象項目名】００２４
【補正方法】変更
【補正の内容】
【００２４】
請求項１４に記載の発明は、請求項１１から請求項１３のいずれか一項に記載の画像記録システムにおいて、
前記画像検査装置は、少なくとも２ページ分の前記検査用可変データを保持する可変データメモリを備え、検査の終ったページのメモリ領域を循環的に順次、新しいページの前記検査用可変データの保持に使用することを特徴とする。
【手続補正１６】
【補正対象書類名】明細書
【補正対象項目名】００２５
【補正方法】変更
【補正の内容】
【００２５】
請求項１５に記載の発明は、請求項１１から請求項１３のいずれか一項に記載の画像記録システムにおいて、
前記画像検査装置は、Ｎページ（N≧２）分の検査画像に対応した前記検査用固定データを格納する固定データ領域と前記検査用可変データを格納する可変データ領域とを有するＮ個の共通メモリと、この共通メモリのどの領域に前記検査用可変データを保持するかを管理する可変データ領域管理部とを備え、
画像検査に先立ち、前記画像記録装置より供給された前記検査用固定データをＮ個の共通メモリに保持するとともに、前記画像記録装置より供給された前記検査用可変データの格納領域を示す可変データ位置情報を前記可変データ領域管理部に保持し、
前記可変データ領域管理部は、前記画像記録装置より供給される前記検査用可変データを前記可変データ位置情報に基づいて前記Ｎ個の共通メモリの前記可変データ領域にページごとに循環的に順次保持し、
前記画像検査部は、Ｎ個の共通メモリに保持された前記検査用固定データと前記検査用可変データとを１ページごとに循環的に読み出し、前記画像撮像部で撮像された記録画像と照合して記録画像の検査を行うことを特徴とする。
【手続補正１７】
【補正対象書類名】明細書
【補正対象項目名】００２６
【補正方法】変更
【補正の内容】
【００２６】
請求項１６に記載の発明は、請求項１１から請求項１５のいずれか一項に記載の画像記録システムにおいて、
前記画像供給装置は、前記画像記録装置の記録解像度に対応した前記記録用固定データ及び前記記録用可変データを前記画像記録装置に供給し、
前記画像記録装置は、前記画像検査装置の撮像解像度に対応した前記検査用固定データ及び前記検査用可変データを前記画像検査装置に供給することを特徴とする。
【手続補正１８】
【補正対象書類名】明細書
【補正対象項目名】００２７
【補正方法】変更
【補正の内容】
【００２７】
請求項１７に記載の発明は、請求項１６に記載の画像記録システムにおいて、
前記画像検査装置の撮像解像度は前記画像記録装置の記録解像度よりも低く、前記画像検査装置の撮像データの階調数は前記画像記録装置の記録階調数よりも高いことを特徴とする。
【手続補正１９】
【補正対象書類名】明細書
【補正対象項目名】００２８
【補正方法】変更
【補正の内容】
【００２８】
請求項１８に記載の発明は、請求項１１から請求項１７のいずれか一項に記載の画像記録システムにおいて、
前記画像記録装置は、複数の色材を記録可能なカラー画像記録装置であり、
前記画像検査装置は、画像を複数の色成分に分解して撮像可能なカラー撮像手段を備え、複数の色成分を有するカラー画像の照合・検査が可能なカラー画像検査装置であり、
前記画像供給装置は、前記画像記録装置の色特性に対応した前記記録用固定データ及び前記記録用可変データを前記画像記録装置に供給し、
前記画像記録装置は、前記画像検査装置の色特性に対応した前記検査用固定データ及び前記検査用可変データを前記画像検査装置に供給することを特徴とする。
【手続補正２０】
【補正対象書類名】明細書
【補正対象項目名】００２９
【補正方法】変更
【補正の内容】
【００２９】
請求項１９に記載の発明は、請求項１１から請求項１８のいずれか一項に記載の画像記録システムにおいて、
前記画像検査装置は、検査したページを不良と判定するとその結果を前記画像供給装置に通知し、
前記画像供給装置は、前記画像検査装置より不良の通知を受けると、不良のページ以降の前記記録用可変データを再度前記画像記録装置に供給し、
前記画像記録装置は、前記画像供給装置より再供給された前記記録用可変データに基づいて不良ページ以降のページを再度記録することを特徴とする。
【手続補正２１】
【補正対象書類名】明細書
【補正対象項目名】００３０
【補正方法】変更
【補正の内容】
【００３０】
請求項２０に記載の発明は、請求項１１から請求項１８のいずれか一項に記載の画像記録システムにおいて、
前記画像検査装置は、検査したページの判定結果を画像記録装置に通知し、
前記画像記録装置は、記録したページの検査結果が良と通知を受けるまで当該ページに対応する前記記録用可変データを保持し、記録したページの検査結果が不良と通知を受けると、当該不良ページ以降のページを再度記録することを特徴とする。
【手続補正２２】
【補正対象書類名】明細書
【補正対象項目名】００３１
【補正方法】変更
【補正の内容】
【００３１】
請求項２１に記載の発明は、請求項２０に記載の画像記録システムにおいて、
前記画像記録装置の記録位置と前記画像検査装置の撮像位置との間の記録媒体搬送経路に沿った距離をＬ、１ページの長さをＰとするとき、前記画像記録装置は、（Ｌ／Ｐ＋１）ページ分以上の前記記録用可変データを保持する容量の可変データメモリ又は共通データメモリを備えていることを特徴とする。
【手続補正２３】
【補正対象書類名】明細書
【補正対象項目名】００３２
【補正方法】変更
【補正の内容】
【００３２】
請求項２２に記載の発明は、請求項１、請求項２、請求項１９、又は請求項２０に記載の画像記録システムにおいて、
前記画像供給装置の制御に基づいて記録媒体上に不良マークを記録する不良マーク記録装置を、前記画像検査装置よりも記録媒体搬送方向の下流側に備え、
前記画像供給装置は、前記画像検査装置より不良の通知を受けると、当該不良ページから、当該ページを再記録するまでの全てのページに不良マークを記録するように、前記不良マーク記録装置を制御することを特徴とする。
【手続補正２４】
【補正対象書類名】明細書
【補正対象項目名】００３３
【補正方法】変更
【補正の内容】
【００３３】
請求項２３に記載の発明は、請求項１、請求項２、請求項１９、又は請求項２０に記載の画像記録システムにおいて、
前記記録媒体は枚葉状の記録媒体であり、前記画像供給装置の制御に基づいて記録済みの記録媒体を仕分けする記録媒体仕分け装置を備え、
前記画像供給装置は、前記画像検査装置より不良の通知を受けると、当該不良ページから、当該ページを再記録するまでの全てのページを、正常のページとは別に仕分けするように、前記記録媒体仕分け装置を制御することを特徴とする。
【手続補正２５】
【補正対象書類名】明細書
【補正対象項目名】００３４
【補正方法】変更
【補正の内容】
【００３４】
請求項２４に記載の発明は、請求項１、請求項２、請求項１９、又は請求項２０に記載の画像記録システムにおいて、
前記記録媒体は帯状の記録媒体であり、前記画像供給装置の制御に基づいて前記帯状の記録媒体を搬送する記録媒体搬送装置を備え、
前記画像供給装置は、前記画像検査装置より不良の通知を受けると、前記記録媒体搬送装置を制御して当該不良ページが記録された帯状記録媒体部位を前記画像記録部まで逆送し、前記画像記録装置に、当該不良ページから、既に記録済みの続くページに不良マークを記録し、続く記録媒体の未記録部に前記不良と通知されたページから記録を再開させることを特徴とする。
【手続補正２６】
【補正対象書類名】明細書
【補正対象項目名】００３５
【補正方法】変更
【補正の内容】
【００３５】
請求項２５に記載の発明は、請求項１から請求項２４のいずれか一項に記載の画像記録システムにおいて、
前記記録媒体は帯状の記録媒体であり、前記画像記録装置は１ページごとに位置基準マークを記録し、
前記画像検査装置はこの位置基準マークを検出して、記録画像の撮像タイミングを決定することを特徴とする。
【手続補正２７】
【補正対象書類名】明細書
【補正対象項目名】００３６
【補正方法】変更
【補正の内容】
【００３６】
請求項２６に記載の発明は、請求項１から請求項２４のいずれか一項に記載の画像記録システムにおいて、
前記記録媒体は帯状の記録媒体であり、前記画像記録装置は、前記帯状の記録媒体に予め形成されている位置基準マーク又は記録媒体の形状を検知手段で検知して、画像記録タイミングを決定し、
前記画像検査装置は前記位置基準マーク又は記録媒体の形状を前記検知手段で検知して、記録画像撮像タイミングを決定するに際して、前記検知手段で検知した前記位置基準マーク又は記録媒体の形状の検知タイミングを複数ページ分記憶する記憶手段有し、前記検知手段で前記位置基準マーク又は記録媒体の形状を検出してから当該位置基準マーク又は記録媒体の形状に対応するページを撮像するまでの間に、次のページの位置基準マーク又は記録媒体の形状を検知した場合には、その検知タイミングを前記記憶手段に記憶することを特徴とする。
【手続補正２８】
【補正対象書類名】明細書
【補正対象項目名】００３７
【補正方法】変更
【補正の内容】
【００３７】
請求項２７に記載の発明は、請求項１から請求項２４のいずれか一項に記載の画像記録システムにおいて、
前記記録媒体は帯状の記録媒体であり、前記画像記録装置は、前記帯状の記録媒体に予め形成されている位置基準マーク又は記録媒体の形状を第１の検知手段で検知して、画像記録タイミングを決定し、
前記画像検査装置は前記位置基準マーク又は記録媒体の形状を第１の検知手段よりも画像検査装置近傍に設置された第２の検知手段で検知して、記録画像撮像タイミングを決定することを特徴とする。
【手続補正２９】
【補正対象書類名】明細書
【補正対象項目名】００３８
【補正方法】変更
【補正の内容】
【００３８】
請求項２８に記載の発明は、請求項２７に記載の画像記録システムにおいて、
前記画像検査装置は、撮像した画像が１ページ目の画像と判断されるまで、前記可変データメモリに保持する１ページ目の可変データを更新せずに、検査を続けることを特徴とする。
【手続補正３０】
【補正対象書類名】明細書
【補正対象項目名】００３９
【補正方法】変更
【補正の内容】
【００３９】
請求項２９に記載の発明は、請求項２８に記載の画像記録システムにおいて、
予め設定した所定ページ以上検査しても１ページ目の画像と判断されないときは１ページ目の記録画像を不良と判断することを特徴とする。
【手続補正３１】
【補正対象書類名】明細書
【補正対象項目名】００４０
【補正方法】変更
【補正の内容】
【００４０】
請求項１に記載の発明によれば、固定画像部分も可変画像部分も１つの画像検査装置で同時に検査を行うことができるため、システム構成を単純化でき、装置コストを削減することができるとともに、記録画像に固定画像と可変画像とが混在している場合でも迅速かつ高精度に検査を行うことができる。
また、画像記録装置及び画像検査装置に、固定データを１ページ毎に毎回転送する必要がないため、画像記録および画像検査を高速化することができる。
また、画像検査装置が不良と判定したページが再度記録されるため、ページの抜けが無くなる。
請求項２に記載の発明によれば、固定画像部分も可変画像部分も１つの画像検査装置で同時に検査を行うことができるため、システム構成を単純化でき、装置コストを削減することができるとともに、記録画像に固定画像と可変画像とが混在している場合でも迅速かつ高精度に検査を行うことができる。
また、画像記録装置及び画像検査装置に、固定データを１ページ毎に毎回転送する必要がないため、画像記録および画像検査を高速化することができる。
また、画像検査装置が不良と判定したページが再度記録されるため、ページの抜けが無くなる。また、画像供給装置から画像記録装置に再記録するページの可変データを再送する必要がないので、速やかに不良ページの再記録を開始することができる。
【手続補正３２】
【補正対象書類名】明細書
【補正対象項目名】００４１
【補正方法】変更
【補正の内容】
【００４１】
請求項３に記載の発明によれば、画像記録装置が２ページ分以上の可変データメモリを持っているので、画像供給装置から画像記録装置へのデータ転送が一時的に途絶えたり転送速度が低下したりした場合でも、画像記録を停止せずに継続できる。また、可変データのみを２ページ分以上持つので少ないメモリ容量で済む。さらに、メモリを循環的に使用するので、画像記録中に次のページのデータ転送を行うことができ、画像記録を高速化することができる。
【手続補正３３】
【補正対象書類名】明細書
【補正対象項目名】００４２
【補正方法】変更
【補正の内容】
【００４２】
請求項４に記載の発明によれば、画像記録装置の共通メモリに固定データと可変データを保持することにより、簡便な構成で固定データと可変データを合成して画像記録を行うことができる。また、Ｎページ分（Ｎ≧２）の共通メモリを持っているので、画像供給装置から画像記録装置へのデータ転送が一時的に途絶えたり転送速度が低下したりした場合でも、画像記録を停止せずに継続できる。また、ページごとに可変データのみを転送し、共通メモリ上の可変データ領域のみを更新するので、転送データが少なく、画像記録を高速化することができる。さらに、Ｎページ分の共通メモリを循環的に使用するため、画像記録中に次のページのデータ転送を行うことができることからも、一層の画像記録の高速化が可能となる。
【手続補正３４】
【補正対象書類名】明細書
【補正対象項目名】００４３
【補正方法】変更
【補正の内容】
【００４３】
請求項５に記載の発明によれば、画像検査装置が２ページ分以上の可変データメモリを持っているので、画像供給装置から画像検査装置へのデータ転送が一時的に途絶えたり転送速度が低下したりした場合でも、画像検査を継続できる。また、可変データのみを２ページ分以上持つので少ないメモリ容量で済む。さらに、メモリを循環的に使用するので、画像検査中に次のページのデータ転送を行うことができ、画像検査を高速化することができる。
【手続補正３５】
【補正対象書類名】明細書
【補正対象項目名】００４４
【補正方法】変更
【補正の内容】
【００４４】
請求項６に記載の発明によれば、画像検査装置の共通メモリに固定データと可変データを保持することにより、簡便な構成で固定データと可変データを合成して撮像画像と照合・検査することができる。また、Ｎページ分（Ｎ≧２）の共通メモリを持っているので、画像供給装置から画像検査装置へのデータ転送が一時的に途絶えたり転送速度が低下したりした場合でも、画像検査を継続できる。また、ページごとに可変データのみを転送し、共通メモリ上の可変データ領域のみを更新するので、転送データが少なく、画像検査を高速化できる。Ｎページ分の共通メモリを循環的に使用するため、画像検査中に次のページのデータ転送を行うことができ、画像検査を高速化することができる。
【手続補正３６】
【補正対象書類名】明細書
【補正対象項目名】００４５
【補正方法】変更
【補正の内容】
【００４５】
請求項７に記載の発明によれば、画像供給装置は、画像記録装置の記録解像度に対応した固定データおよび可変データを画像記録装置に供給するので、画像記録装置は簡単な構成で目的の寸法を有する画像を高速に記録することができる。また、画像供給装置は、画像記録装置の記録解像度と画像検査装置の撮像解像度に対応した固定データおよび可変データを画像検査装置に供給するので、画像検査装置は簡単な構成で撮像画像の寸法を含む検査を高速に行うことができる。
【手続補正３７】
【補正対象書類名】明細書
【補正対象項目名】００４６
【補正方法】変更
【補正の内容】
【００４６】
請求項８に記載の発明によれば、画像検査装置の撮像解像度が画像記録装置の記録解像度よりも低くても、階調数が高いので、画像記録装置の局所的な記録不良も的確に検知することができる。
【手続補正３８】
【補正対象書類名】明細書
【補正対象項目名】００４７
【補正方法】変更
【補正の内容】
【００４７】
請求項９に記載の発明によれば、画像供給装置は、画像記録装置の色特性に対応した固定データ及び可変データを画像記録装置に供給するので、画像記録装置は簡単な構成で目的の色特性を有する画像を高速に記録することができる。また、画像供給装置は、画像記録装置の色特性と画像検査装置の色特性に対応した固定データ及び可変データを画像検査装置に供給するので、画像検査装置は簡単な構成で撮像画像の色特性を含む検査を高速に行うことができる。
【手続補正３９】
【補正対象書類名】明細書
【補正対象項目名】００４８
【補正方法】削除
【補正の内容】
【手続補正４０】
【補正対象書類名】明細書
【補正対象項目名】００４９
【補正方法】削除
【補正の内容】
【手続補正４１】
【補正対象書類名】明細書
【補正対象項目名】００５０
【補正方法】変更
【補正の内容】
【００５０】
請求項１０に記載の発明によれば、画像記録装置は、画像検査装置から良の検査結果通知を受けるまで、再記録用の可変データを保持することができる。
【手続補正４２】
【補正対象書類名】明細書
【補正対象項目名】００５１
【補正方法】変更
【補正の内容】
【００５１】
請求項１１に記載の発明によれば、固定画像部分も可変画像部分も１つの画像検査装置で同時に検査を行うことができるため、システム構成を単純化でき、装置コストを削減することができるとともに、記録画像に固定画像と可変画像とが混在している場合でも迅速かつ高精度に検査を行うことができる。
また、画像記録装置及び画像検査装置に、固定データを１ページ毎に毎回転送する必要がないため、画像記録及び画像検査を高速化することができる。
【手続補正４３】
【補正対象書類名】明細書
【補正対象項目名】００５２
【補正方法】変更
【補正の内容】
【００５２】
請求項１２に記載の発明によれば、画像記録装置が２ページ分以上の可変データメモリを持っているので、画像供給装置から画像記録装置へのデータ転送が一時的に途絶えたり転送速度が低下したりした場合でも、画像記録を停止せずに継続できる。また、可変データのみを２ページ分以上持つので少ないメモリ容量で済む。さらに、メモリを循環的に使用するので、画像記録中に次のページのデータ転送を行うことができ、画像記録を高速化することができる。
【手続補正４４】
【補正対象書類名】明細書
【補正対象項目名】００５３
【補正方法】変更
【補正の内容】
【００５３】
請求項１３に記載の発明によれば、画像記録装置の共通メモリに固定データと可変データを保持することにより、簡便な構成で固定データと可変データを合成して記録することができる。また、Ｎページ分（Ｎ≧２）の共通メモリを持っているので、画像供給装置から画像記録装置へのデータ転送が一時的に途絶えたり転送速度が低下したりした場合でも、画像記録を停止せずに継続できる。また、ページごとに可変データのみを転送し、共通メモリ上の可変データ領域のみを更新するので、転送データが少なく、画像記録を高速化できる。Ｎページ分の共通メモリを循環的に使用するため、画像記録中に次のページのデータ転送を行うことができ、画像記録を高速化することができる。
【手続補正４５】
【補正対象書類名】明細書
【補正対象項目名】００５４
【補正方法】変更
【補正の内容】
【００５４】
請求項１４に記載の発明によれば、画像検査装置が２ページ分以上の可変データメモリを持っているので、画像記録装置から画像検査装置へのデータ転送が一時的に途絶えたり転送速度が低下したりした場合でも、画像検査を継続できる。また、可変データのみを２ページ分以上持つので少ないメモリ容量で済む。さらに、メモリを循環的に使用するので、画像検査中に次のページのデータ転送を行うことができ、画像検査を高速化することができる。
【手続補正４６】
【補正対象書類名】明細書
【補正対象項目名】００５５
【補正方法】変更
【補正の内容】
【００５５】
請求項１５に記載の発明によれば、画像検査装置の共通メモリに固定データと可変データを保持することにより、簡便な構成で固定データと可変データを合成して撮像画像と照合・検査することができる。また、Ｎページ分（Ｎ≧２）の共通メモリを持っているので、画像記録装置から画像検査装置へのデータ転送が一時的に途絶えたり転送速度が低下したりした場合でも、画像検査を継続できる。また、ページごとに可変データのみを転送し、共通メモリ上の可変データ領域のみを更新するので、転送データが少なく、画像検査を高速化できる。Ｎページ分の共通メモリを循環的に使用するため、画像検査中に次のページのデータ転送を行うことができ、画像検査を高速化することができる。
【手続補正４７】
【補正対象書類名】明細書
【補正対象項目名】００５６
【補正方法】変更
【補正の内容】
【００５６】
請求項１６に記載の発明によれば、画像供給装置は、画像記録装置の記録解像度に対応した固定データ及び可変データを画像記録装置に供給するので、画像記録装置は簡単な構成で目的の寸法を有する画像を高速に記録することができる。また、画像記録装置は、画像記録装置の記録解像度に対応して一度変換された固定データ及び可変データを画像検査装置の撮像解像度に対応して再変換して画像検査装置に供給するので、画像検査装置は簡単な構成で撮像画像の寸法を含む検査を高速に行うことができる。
【手続補正４８】
【補正対象書類名】明細書
【補正対象項目名】００５７
【補正方法】変更
【補正の内容】
【００５７】
請求項１７に記載の発明によれば、画像検査装置の撮像解像度が画像記録装置の記録解像度よりも低くても、階調数が高いので、画像記録装置の局所的な記録不良も的確に検知することができる。
【手続補正４９】
【補正対象書類名】明細書
【補正対象項目名】００５８
【補正方法】変更
【補正の内容】
【００５８】
請求項１８に記載の発明によれば、画像供給装置は、画像記録装置の色特性に対応した固定データ及び可変データを画像記録装置に供給するので、画像記録装置は簡単な構成で目的の色特性を有する画像を高速に記録することができる。また、画像記録装置は、画像記録装置の色特性に対応して一度変換された固定データ及び可変データを画像検査装置の色特性に対応して再変換して画像検査装置に供給するので、画像検査装置は簡単な構成で撮像画像の色特性を含む検査を高速に行うことができる。
【手続補正５０】
【補正対象書類名】明細書
【補正対象項目名】００５９
【補正方法】変更
【補正の内容】
【００５９】
請求項１９に記載の発明によれば、画像検査装置が不良と判定したページが再度記録されるため、ページの抜けが無くなる。
【手続補正５１】
【補正対象書類名】明細書
【補正対象項目名】００６０
【補正方法】変更
【補正の内容】
【００６０】
請求項２０に記載の発明によれば、画像検査装置が不良と判定したページが再度記録されるため、ページの抜けが無くなる。また、画像供給装置から画像記録装置に再記録するページの可変データを再送する必要がないので、速やかに不良ページの再記録を開始することができる。
【手続補正５２】
【補正対象書類名】明細書
【補正対象項目名】００６１
【補正方法】変更
【補正の内容】
【００６１】
請求項２１に記載の発明によれば、画像記録装置は、画像検査装置から良の検査結果通知を受けるまで、再記録用の可変データを保持することができる。
【手続補正５３】
【補正対象書類名】明細書
【補正対象項目名】００６２
【補正方法】変更
【補正の内容】
【００６２】
請求項２２に記載の発明によれば、不良ページには不良マークが記録されるため、後で、不良ページを取り除くことが容易になる。また、当該不良マークに基づいて不良ページを取り除けば、正常なページが連続することになる。
【手続補正５４】
【補正対象書類名】明細書
【補正対象項目名】００６３
【補正方法】変更
【補正の内容】
【００６３】
請求項２３に記載の発明によれば、不良ページが別に仕分けされ、正常なページのみが連続して仕分けされる。
【手続補正５５】
【補正対象書類名】明細書
【補正対象項目名】００６４
【補正方法】変更
【補正の内容】
【００６４】
請求項２４に記載の発明によれば、不良ページには不良マークが記録されるため、後で、不良ページを取り除くことが容易になる。また、当該不良マークに基づいて不良ページを取り除けば、正常なページが連続することになる。また、不良マークを記録するための新たな装置が不要であり、コストを削減することができる。
【手続補正５６】
【補正対象書類名】明細書
【補正対象項目名】００６５
【補正方法】変更
【補正の内容】
【００６５】
請求項２５に記載の発明によれば、画像記録装置で記録した位置基準マークを検出して記録画像撮像タイミングを決定するので、撮像画像と照合画像の位置関係を精度良く照合・検査することができる。
【手続補正５７】
【補正対象書類名】明細書
【補正対象項目名】００６６
【補正方法】変更
【補正の内容】
【００６６】
請求項２６に記載の発明によれば、画像記録装置は記録媒体に予め形成されているマーク又は記録媒体の形状を検出して、画像記録タイミングを決定し、画像記録を行うとともに、画像検査装置は該マークまたは記録媒体の形状を前記検知手段で検知して、記録画像撮像タイミングを決定するに際して、前記検知手段で検知した前記マークまたは記録媒体の形状の検知タイミングを複数ページ分記憶する記憶手段有し、前記検知手段で前記マークまたは記録媒体の形状を検出してから当該マーク又は記録媒体の形状に対応するページを撮像するまでの間に、次のページのマーク又は記録媒体の形状を検知した場合には、その検知タイミングを前記記憶手段に記憶するので、検知手段と画像検査装置の間隔よりも短いページを連続記録しても、記録したページを正しく撮像し、照合・検査することができる。
【手続補正５８】
【補正対象書類名】明細書
【補正対象項目名】００６７
【補正方法】変更
【補正の内容】
【００６７】
請求項２７に記載の発明によれば、画像記録装置は記録媒体に予め形成されているマーク又は記録媒体の形状を第１の検知手段で検知して、画像記録タイミングを決定し、画像記録を行うとともに、画像検査装置は当該マーク又は記録媒体の形状を第１の検知手段よりも画像検査装置近傍に設置された第２の検知手段で検知して、記録画像撮像タイミングを決定するので、撮像画像と照合画像の位置関係を精度良く照合・検査することができる。
【手続補正５９】
【補正対象書類名】明細書
【補正対象項目名】００６８
【補正方法】変更
【補正の内容】
【００６８】
請求項２８に記載の発明によれば、画像検査装置は、撮像した画像が１ページ目の画像と判断するまで、可変データメモリに保持する１ページ目の可変データを更新せずに検査を続けるので、画像記録装置と画像検査装置の位置関係に対応した記録画像と検査画像のページのずれを補正する必要がなくなり、検査時の手間が省け、また、設定の不手際から正常に記録されたものまで不良と判定してしまうおそれがない。
【手続補正６０】
【補正対象書類名】明細書
【補正対象項目名】００６９
【補正方法】変更
【補正の内容】
【００６９】
請求項２９に記載の発明によれば、予め設定した所定ページ以上検査しても１ページ目の画像と判断されないときは不良と判断するので、記録された１ページ目の可変データ部に不良があるときでも不良を検知することができる。
【手続補正６１】
【補正対象書類名】特許請求の範囲
【補正対象項目名】全文
【補正方法】変更
【補正の内容】
【特許請求の範囲】
【請求項１】
画像供給装置と、当該画像供給装置から供給された記録用画像データを記録媒体に記録する画像記録装置と、当該画像記録装置により記録媒体上に記録された記録画像を撮像しこの記録画像と前記画像供給装置から供給された検査用画像データとを照合して正常に記録が行われたか否かを検査する画像検査装置と、を備える画像記録システムであって、
前記画像供給装置は、前記記録用画像データを複数ページに共通する記録用固定データと共通しない記録用可変データとに分離して前記画像記録装置に送信するとともに、前記検査用画像データを前記記録用固定データに対応する検査用固定データと、前記記録用可変データに対応する検査用可変データとに分離して画像検査装置に送信し、
前記画像記録装置は、少なくとも１ページ分の前記記録用固定データを保持する固定データメモリと、少なくとも１ページ分の前記記録用可変データを保持する可変データメモリとを備え、前記固定データメモリに保持された前記記録用固定データと、前記可変データメモリに保持された前記記録用可変データとを１ページずつ合成して記録媒体に記録を行う画像記録部を備え、
前記画像検査装置は、前記画像記録装置により記録媒体上に記録された記録画像を撮像する画像撮像部と、少なくとも１ページ分の前記検査用固定データを保持する固定データメモリと、少なくとも１ページ分の前記検査用可変データを保持する可変データメモリとを備え、前記固定データメモリに保持された前記検査用固定データと前記可変データメモリに保持された前記検査用可変データとを合成して得られる検査用画像と、前記画像撮像部で撮像された記録画像とを照合して記録画像の検査を行う画像検査部を備え、
前記画像供給装置は、複数ページの画像記録に際して前記記録用固定データを１回前記画像記録装置に供給するとともに、前記検査用固定データを１回前記画像検査装置に供給するものであり、
前記画像検査装置は、検査したページを不良と判定するとその結果を前記画像供給装置に通知し、
前記画像供給装置は、前記画像検査装置より不良の通知を受けると、不良のページ以降の前記記録用可変データを再度前記画像記録装置に供給し、
前記画像記録装置は、前記画像供給装置より再供給された前記記録用可変データに基づいて不良ページ以降のページを再度記録することを特徴とする画像記録システム。
【請求項２】
画像供給装置と、当該画像供給装置から供給された記録用画像データを記録媒体に記録する画像記録装置と、当該画像記録装置により記録媒体上に記録された記録画像を撮像しこの記録画像と前記画像供給装置から供給された検査用画像データとを照合して正常に記録が行われたか否かを検査する画像検査装置と、を備える画像記録システムであって、
前記画像供給装置は、前記記録用画像データを複数ページに共通する記録用固定データと共通しない記録用可変データとに分離して前記画像記録装置に送信するとともに、前記検査用画像データを前記記録用固定データに対応する検査用固定データと、前記記録用可変データに対応する検査用可変データとに分離して画像検査装置に送信し、
前記画像記録装置は、少なくとも１ページ分の前記記録用固定データを保持する固定データメモリと、少なくとも１ページ分の前記記録用可変データを保持する可変データメモリとを備え、前記固定データメモリに保持された前記記録用固定データと、前記可変データメモリに保持された前記記録用可変データとを１ページずつ合成して記録媒体に記録を行う画像記録部を備え、
前記画像検査装置は、前記画像記録装置により記録媒体上に記録された記録画像を撮像する画像撮像部と、少なくとも１ページ分の前記検査用固定データを保持する固定データメモリと、少なくとも１ページ分の前記検査用可変データを保持する可変データメモリとを備え、前記固定データメモリに保持された前記検査用固定データと前記可変データメモリに保持された前記検査用可変データとを合成して得られる検査用画像と、前記画像撮像部で撮像された記録画像とを照合して記録画像の検査を行う画像検査部を備え、
前記画像供給装置は、複数ページの画像記録に際して前記記録用固定データを１回前記画像記録装置に供給するとともに、前記検査用固定データを１回前記画像検査装置に供給するものであり、
前記画像検査装置は、検査したページの判定結果を前記画像記録装置に通知し、
前記画像記録装置は、記録したページの検査結果が良と通知を受けるまで当該ページに対応する前記記録用可変データを保持し、記録したページの検査結果が不良と通知を受けると、当該不良ページ以降のページを再度記録することを特徴とする画像記録システム。
【請求項３】
前記画像記録装置の前記可変データメモリは、少なくとも２ページ分の前記記録用可変データを保持する容量を備え、記録の終ったページのメモリ領域を循環的に順次、新しいページの前記記録用可変データの保持に使用することを特徴とする請求項１又は請求項２に記載の画像記録システム。
【請求項４】
前記画像記録装置は、Ｎページ（Ｎ≧２）分の記録画像に対応した前記記録用固定データを格納する固定データ領域と前記記録用可変データを保持する可変データ領域とを有するＮ個の共通メモリと、この共通メモリのどの領域に前記記録用可変データを保持するかを管理する可変データ領域管理部とを備え、
画像記録に先立ち、前記画像供給装置より供給された前記記録用固定データを前記Ｎ個の共通メモリに保持するとともに、前記画像供給装置より供給された前記記録用可変データの格納領域を示す可変データ位置情報を前記可変データ領域管理部に保持し、
前記可変データ領域管理部は、前記画像供給装置より供給される前記記録用可変データを前記可変データ位置情報に基づいて前記Ｎ個の共通メモリの前記可変データ領域にページごとに循環的に順次保持し、
前記画像記録部は、前記Ｎ個の共通メモリに保持された前記記録用固定データと前記記録用可変データとを１ページごとに循環的に読み出して記録媒体に記録を行うことを特徴とする請求項１又は請求項２に記載の画像記録システム。
【請求項５】
前記画像検査装置の前記可変データメモリは、少なくとも２ページ分の前記検査用可変データを保持する容量を備え、検査の終ったページのメモリ領域を循環的に順次、新しいページの前記検査用可変データの保持に使用することを特徴とする請求項１から請求項４のいずれか一項に記載の画像記録システム。
【請求項６】
前記画像検査装置は、Ｎページ（Ｎ≧２）分の検査画像に対応した前記検査用固定データを格納する固定データ領域と前記検査用可変データを格納する可変データ領域とを有するＮ個の共通メモリと、この共通メモリのどの領域に前記検査用可変データを保持するかを管理する可変データ領域管理部とを備え、
画像検査に先立ち、前記画像供給装置より供給された前記検査用固定データを前記Ｎ個の共通メモリに保持するとともに、前記画像供給装置より供給された前記検査用可変データの格納領域を示す可変データ位置情報を前記可変データ領域管理部に保持し、
該可変データ領域管理部は、前記画像供給装置より供給される前記検査用可変データを前記可変データ位置情報に基づいて前記Ｎ個の共通メモリの前記可変データ領域にページごとに循環的に順次保持し、
前記画像検査部は、Ｎ個の共通メモリに保持された前記検査用固定データと前記検査用可変データとを１ページごとに循環的に読み出し、前記画像撮像部で撮像された記録画像と照合して記録画像の検査を行うことを特徴とする請求項１から請求項４のいずれか一項に記載の画像記録システム。
【請求項７】
前記画像供給装置は、前記画像記録装置の記録解像度に対応した前記記録用固定データ及び前記記録用可変データを前記画像記録装置に供給するとともに、前記画像記録装置の記録解像度と前記画像検査装置の撮像解像度に対応した前記検査用固定データ及び前記検査用可変データを前記画像検査装置に供給することを特徴とする請求項１から請求項６のいずれか一項に記載の画像記録システム。
【請求項８】
前記画像検査装置の撮像解像度は前記画像記録装置の記録解像度よりも低く、前記画像検査装置の撮像データの階調数は前記画像記録装置の記録階調数よりも高いことを特徴とする請求項７記載の画像記録システム。
【請求項９】
前記画像記録装置は、複数の色材を記録可能なカラー画像記録装置であり、
前記画像検査装置は、画像を複数の色成分に分解して撮像可能なカラー撮像手段を備え、複数の色成分を有するカラー画像の照合・検査が可能なカラー画像検査装置であり、
前記画像供給装置は、前記画像記録装置の色特性に対応した前記記録用固定データ及び前記記録用可変データを前記画像記録装置に供給するとともに、前記画像記録装置の色特性と前記画像検査装置の色特性に対応した前記検査用固定データ及び前記検査用可変データを前記画像検査装置に供給することを特徴とする請求項１から請求項８のいずれか一項に記載の画像記録システム。
【請求項１０】
前記画像記録装置の記録位置と前記画像検査装置の撮像位置との間の記録媒体搬送経路に沿った距離をＬ、１ページの長さをＰとするとき、前記画像記録装置は、（Ｌ／Ｐ＋１）ページ分以上の前記記録用可変データを保持する容量の前記可変データメモリ又は前記共通データメモリを備えていることを特徴とする請求項２に記載の画像記録システム。
【請求項１１】
画像供給装置と、当該画像供給装置から供給された記録用画像データを記録媒体に記録する画像記録装置と、当該画像記録装置により記録媒体上に記録された記録画像を撮像し前記画像記録装置から転送された検査用画像データと照合して正常に記録が行われたか否かを検査する画像検査装置と、を備える画像記録システムであって、
前記画像供給装置は、前記記録用画像データを複数ページに共通する記録用固定データと共通しない記録用可変データとに分離して前記画像記録装置に送信し、
前記画像記録装置は、少なくとも１ページ分の前記記録用固定データを保持する固定データメモリと、少なくとも１ページ分の前記記録用可変データを保持する可変データメモリとを備え、前記固定データメモリに保持された前記記録用固定データと、前記可変データメモリに保持された前記記録用可変データとを１ページずつ合成して記録媒体に記録を行う画像記録部を備え、
前記画像検査装置は、前記画像記録装置により記録媒体上に記録された記録画像を撮像する画像撮像部と、少なくとも１ページ分の検査用固定データを保持する固定データメモリを備え、この固定データメモリに保持された前記検査用固定データと前記検査用画像データの検査用可変データとを合成して得られる検査用画像と、前記画像撮像部で撮像された記録画像とを照合して記録画像の検査を行う画像検査部を備え、
前記画像供給装置は、複数ページの画像記録に際して前記記録用固定データを１回前記画像供給装置に供給し、前記画像記録装置は、前記検査用固定データを１回前記画像検査装置に供給することを特徴とする画像記録システム。
【請求項１２】
前記画像記録装置の前記可変データメモリは、少なくとも２ページ分の前記記録用可変データを保持する容量を備え、記録の終ったページのメモリ領域を循環的に順次、新しいページの前記記録用可変データの保持に使用することを特徴とする請求項１１に記載の画像記録システム。
【請求項１３】
前記画像記録装置は、Ｎページ（Ｎ≧２）分の記録画像に対応した前記記録用固定データを格納する固定データ領域と前記記録用可変データを保持する可変データ領域とを有するＮ個の共通メモリと、この共通メモリのどの領域に前記記録用可変データを保持するかを管理する可変データ領域管理部とを備え、
画像記録に先立ち、前記画像供給装置より供給された前記記録用固定データを前記Ｎ個の共通メモリに保持するとともに、前記画像供給装置より供給された前記記録用可変データの格納領域を示す可変データ位置情報を前記可変データ領域管理部に保持し、
前記可変データ領域管理部は、前記画像供給装置より供給される前記記録用可変データを前記可変データ位置情報に基づいて前記Ｎ個の共通メモリの前記可変データ領域にページごとに循環的に順次保持し、
前記画像記録部は、前記Ｎ個の共通メモリに保持された前記記録用固定データと前記記録用可変データとを１ページごとに循環的に読み出して記録媒体に記録を行うことを特徴とする請求項１１に記載の画像記録システム。
【請求項１４】
前記画像検査装置は、少なくとも２ページ分の前記検査用可変データを保持する可変データメモリを備え、検査の終ったページのメモリ領域を循環的に順次、新しいページの前記検査用可変データの保持に使用することを特徴とする請求項１１から請求項１３のいずれか一項に記載の画像記録システム。
【請求項１５】
前記画像検査装置は、Ｎページ（Ｎ≧２）分の検査画像に対応した前記検査用固定データを格納する固定データ領域と前記検査用可変データを格納する可変データ領域とを有するＮ個の共通メモリと、この共通メモリのどの領域に前記検査用可変データを保持するかを管理する可変データ領域管理部とを備え、
画像検査に先立ち、前記画像記録装置より供給された前記検査用固定データをＮ個の共通メモリに保持するとともに、前記画像記録装置より供給された前記検査用可変データの格納領域を示す可変データ位置情報を前記可変データ領域管理部に保持し、
前記可変データ領域管理部は、前記画像記録装置より供給される前記検査用可変データを前記可変データ位置情報に基づいて前記Ｎ個の共通メモリの前記可変データ領域にページごとに循環的に順次保持し、
前記画像検査部は、Ｎ個の共通メモリに保持された前記検査用固定データと前記検査用可変データとを１ページごとに循環的に読み出し、前記画像撮像部で撮像された記録画像と照合して記録画像の検査を行うことを特徴とする請求項１１から請求項１３のいずれか一項に記載の画像記録システム。
【請求項１６】
前記画像供給装置は、前記画像記録装置の記録解像度に対応した前記記録用固定データ及び前記記録用可変データを前記画像記録装置に供給し、
前記画像記録装置は、前記画像検査装置の撮像解像度に対応した前記検査用固定データ及び前記検査用可変データを前記画像検査装置に供給することを特徴とする請求項１１から請求項１５のいずれか一項に記載の画像記録システム。
【請求項１７】
前記画像検査装置の撮像解像度は前記画像記録装置の記録解像度よりも低く、前記画像検査装置の撮像データの階調数は前記画像記録装置の記録階調数よりも高いことを特徴とする請求項１６に記載の画像記録システム。
【請求項１８】
前記画像記録装置は、複数の色材を記録可能なカラー画像記録装置であり、
前記画像検査装置は、画像を複数の色成分に分解して撮像可能なカラー撮像手段を備え、複数の色成分を有するカラー画像の照合・検査が可能なカラー画像検査装置であり、
前記画像供給装置は、前記画像記録装置の色特性に対応した前記記録用固定データ及び前記記録用可変データを前記画像記録装置に供給し、
前記画像記録装置は、前記画像検査装置の色特性に対応した前記検査用固定データ及び前記検査用可変データを前記画像検査装置に供給することを特徴とする請求項１１から請求項１７のいずれか一項に記載の画像記録システム。
【請求項１９】
前記画像検査装置は、検査したページを不良と判定するとその結果を前記画像供給装置に通知し、
前記画像供給装置は、前記画像検査装置より不良の通知を受けると、不良のページ以降の前記記録用可変データを再度前記画像記録装置に供給し、
前記画像記録装置は、前記画像供給装置より再供給された前記記録用可変データに基づいて不良ページ以降のページを再度記録することを特徴とする請求項１１から請求項１８のいずれか一項に記載の画像記録システム。
【請求項２０】
前記画像検査装置は、検査したページの判定結果を画像記録装置に通知し、
前記画像記録装置は、記録したページの検査結果が良と通知を受けるまで当該ページに対応する前記記録用可変データを保持し、記録したページの検査結果が不良と通知を受けると、当該不良ページ以降のページを再度記録することを特徴とする請求項１２から請求項１９のいずれか一項に記載の画像記録システム。
【請求項２１】
前記画像記録装置の記録位置と前記画像検査装置の撮像位置との間の記録媒体搬送経路に沿った距離をＬ、１ページの長さをＰとするとき、前記画像記録装置は、（Ｌ／Ｐ＋１）ページ分以上の前記記録用可変データを保持する容量の可変データメモリ又は共通データメモリを備えていることを特徴とする請求項２０に記載の画像記録システム。
【請求項２２】
前記画像供給装置の制御に基づいて記録媒体上に不良マークを記録する不良マーク記録装置を、前記画像検査装置よりも記録媒体搬送方向の下流側に備え、
前記画像供給装置は、前記画像検査装置より不良の通知を受けると、当該不良ページから、当該ページを再記録するまでの全てのページに不良マークを記録するように、前記不良マーク記録装置を制御することを特徴とする請求項９、請求項１０、請求項２０、又は請求項２１に記載の画像記録システム。
【請求項２３】
前記記録媒体は枚葉状の記録媒体であり、前記画像供給装置の制御に基づいて記録済みの記録媒体を仕分けする記録媒体仕分け装置を備え、
前記画像供給装置は、前記画像検査装置より不良の通知を受けると、当該不良ページから、当該ページを再記録するまでの全てのページを、正常のページとは別に仕分けするように、前記記録媒体仕分け装置を制御することを特徴とする請求項１、請求項２、請求項１９、又は請求項２０に記載の画像記録システム。
【請求項２４】
前記記録媒体は帯状の記録媒体であり、前記画像供給装置の制御に基づいて前記帯状の記録媒体を搬送する記録媒体搬送装置を備え、
前記画像供給装置は、前記画像検査装置より不良の通知を受けると、前記記録媒体搬送装置を制御して当該不良ページが記録された帯状記録媒体部位を前記画像記録部まで逆送し、前記画像記録装置に、当該不良ページから、既に記録済みの続くページに不良マークを記録し、続く記録媒体の未記録部に前記不良と通知されたページから記録を再開させることを特徴とする請求項１、請求項２、請求項１９、又は請求項２０に記載の画像記録システム。
【請求項２５】
前記記録媒体は帯状の記録媒体であり、前記画像記録装置は１ページごとに位置基準マークを記録し、
前記画像検査装置はこの位置基準マークを検出して、記録画像の撮像タイミングを決定することを特徴とする請求項１から請求項２４のいずれか一項に記載の画像記録システム。
【請求項２６】
前記記録媒体は帯状の記録媒体であり、前記画像記録装置は、前記帯状の記録媒体に予め形成されている位置基準マーク又は記録媒体の形状を検知手段で検知して、画像記録タイミングを決定し、
前記画像検査装置は前記位置基準マーク又は記録媒体の形状を前記検知手段で検知して、記録画像撮像タイミングを決定するに際して、前記検知手段で検知した前記位置基準マーク又は記録媒体の形状の検知タイミングを複数ページ分記憶する記憶手段有し、前記検知手段で前記位置基準マーク又は記録媒体の形状を検出してから当該位置基準マーク又は記録媒体の形状に対応するページを撮像するまでの間に、次のページの位置基準マーク又は記録媒体の形状を検知した場合には、その検知タイミングを前記記憶手段に記憶することを特徴とする請求項１から請求項２４のいずれか一項に記載の画像記録システム。
【請求項２７】
前記記録媒体は帯状の記録媒体であり、前記画像記録装置は、前記帯状の記録媒体に予め形成されている位置基準マーク又は記録媒体の形状を第１の検知手段で検知して、画像記録タイミングを決定し、
前記画像検査装置は前記位置基準マーク又は記録媒体の形状を第１の検知手段よりも画像検査装置近傍に設置された第２の検知手段で検知して、記録画像撮像タイミングを決定することを特徴とする請求項１から請求項２４のいずれか一項に記載の画像記録システム。
【請求項２８】
前記画像検査装置は、撮像した画像が１ページ目の画像と判断されるまで、前記可変データメモリに保持する１ページ目の可変データを更新せずに、検査を続けることを特徴とする請求項２７に記載の画像記録システム。
【請求項２９】
予め設定した所定ページ以上検査しても１ページ目の画像と判断されないときは１ページ目の記録画像を不良と判断することを特徴とする請求項２８に記載の画像記録システム。